(57)【要約】【課題】高度な技術や経験を必要とすることなく、各患者の口腔内環境に合わせて適切な位置で排列可能とする。【解決手段】歯科補綴物として口腔内に装着する床３３，３４に排列する人工臼歯であって、臼歯１，２，５，６の咬合面に、頬側面または舌側面に向けて延びる側溝２９〜３２を設け、この側溝２９〜３２の咬合面の外周部と交わる部分（頂部２９ａ〜３２ａ）と接触点３５とが、近心遠心方向に平行な平面上にあるようにする。または、臼歯１，２，５，６は、咬合面にある窩２５，２７の底端と接触点３５とが、近心遠心方向に平行な平面上にあるようにする。または、上顎臼歯１，２と下顎臼歯５，６の互いに接触する咬頭１３Ａ，１３Ｂ〜１６，１７Ａ，１７Ｂ〜２０の周囲に、互いに平行な平面状の擦接部９〜１２をそれぞれ設ける。【選択図】図４
2010051788.tif 000002
【特許請求の範囲】
【請求項１】
歯科補綴物として口腔内に装着する床に排列する人工臼歯であって、
咬合面に、前記床への排列状態で頬側面または舌側面に向けて延びる側溝を設け、
この側溝の前記咬合面の外周部と交わる部分と、近心遠心方向に隣接して排列される臼歯との接触点とが、近心遠心方向に平行な平面上にあるようにしたことを特徴とする人工臼歯。
【請求項２】
歯科補綴物として口腔内に装着する床に２以上の臼歯を近心遠心方向に隣接して排列し、これらの外周面の接触点より咬頭側に咬頭側鼓形空隙が形成される人工臼歯であって、
少なくとも一方の臼歯の咬合面に、頬側面または舌側面に向けて延びる側溝を設け、この側溝の前記咬合面の外周部と交わる部分と前記接触点とが、近心遠心方向に平行な平面上にあるようにしたことを特徴とする人工臼歯。
【請求項３】
歯科補綴物として口腔内に装着する床に２以上の臼歯を近心遠心方向に隣接して排列し、これらの外周面の接触点より咬頭側に咬頭側鼓形空隙が形成される人工臼歯であって、
少なくとも一方の臼歯は、その臼歯の咬合面にある窩の底端と前記接触点とが、近心遠心方向に平行な平面上にあるようにしたことを特徴とする人工臼歯。
【請求項４】
前記臼歯は、対合する床に互いに咬合する臼歯を有し、これら臼歯の互いに接触する咬頭の周囲に、互いに平行な平面状の擦接部をそれぞれ設けたことを特徴とする請求項１乃至請求項３のいずれか１項に記載の人工臼歯。
【請求項５】
歯科補綴物として口腔内の上下顎に装着する床にそれぞれ上顎臼歯と下顎臼歯とを排列した人工臼歯であって、
前記上顎臼歯と下顎臼歯の互いに接触する咬頭の周囲に、互いに平行な平面状の擦接部をそれぞれ設けたことを特徴とする人工臼歯。
【請求項６】
前記上顎臼歯および下顎臼歯の各咬頭において、遠心頬側の擦接部はそれぞれ平行であり、近心頬側の擦接部はそれぞれ平行であり、遠心舌側の擦接部はそれぞれ平行であり、近心舌側の擦接部はそれぞれ平行であることを特徴とする請求項４または請求項５に記載の人工臼歯。
【請求項７】
前記上顎臼歯の咬頭の近心舌側の擦接部と前記下顎臼歯の咬頭の遠心頬側の擦接部とは平行であり、前記上顎臼歯の咬頭の遠心頬側の擦接部と前記下顎臼歯の咬頭の近心舌側の擦接部とは平行であり、前記上顎臼歯の咬頭の遠心舌側の擦接部と前記下顎臼歯の咬頭の近心頬側の擦接部とは平行であり、前記上顎臼歯の咬頭の近心頬側の擦接部と前記下顎臼歯の咬頭の遠心舌側の擦接部とは平行である、ことを特徴とする請求項６に記載の人工臼歯。
【請求項８】
隣接する臼歯の咬頭頂を一致するように設けたことを特徴とする請求項１乃至請求項７のいずれか１項に記載の人工臼歯。
【発明の詳細な説明】
【技術分野】
【０００１】
歯科補綴物の作製時に容易に排列することができ、義歯装着時に容易に咀嚼できる人工臼歯に関する。
【背景技術】
【０００２】
歯科補綴物の作製時における人工臼歯の排列は、高度な技術と経験が必要であった。特に対合する歯を、適切な位置関係に排列することは困難であった。
【０００３】
義歯においては、残存歯があるために、人工臼歯を定まった位置にいつも排列できるとは限られず、患者個人にそれぞれ合わせて義歯を作製しなければならない。そのため、自ら定めた上下の顎の関係で人工臼歯を並べることや、隣接させて人工臼歯を並べることはできない。よって、従来では、人工臼歯を排列した後に大きく削合し、表面の状態を大きく変更する作業を行っていた。
【０００４】
特許文献１には、上顎臼歯の咬合面に舌側咬頭、頬側咬頭および窩が形成され、対合する下顎臼歯の咬合面に舌側咬頭、頬側咬頭および窩が形成された人工臼歯が記載されている。この人工臼歯は、上顎臼歯と下顎対合臼歯とが中心咬合位において、上顎臼歯の舌側咬頭が下顎対合臼歯の窩に咬合接触し、上顎臼歯の窩に下顎対合臼歯の頬側咬頭が咬合接触する構成としている。
【０００５】
この特許文献１の人工臼歯は、左方で合計９点、右方で９点、全体で１８点咬合接触する。即ち、咬合接触点の数が、フルバランスドオクルージョンよりも少なく、かつ、フルバランスドオクルージョンのような頬側咬頭傾斜面との咬合接触を有しない。そのため、義歯作製にあたり、蝋歯槽堤への排列や、削合等による咬合調整が容易である。また、義歯使用時において、義歯が転倒したりすることなく安定する。しかも、食物をすりつぶしたり、噛み砕いたり、噛み切るなどの咀嚼効率において、フルバランスドオクルージョンに近い咬合が得られる。また、リンガライズドオクルージョンへの変更が義歯作製時に限らず義歯の修正時においても容易に行うことができる。
【０００６】
しかしながら、この特許文献１の人工臼歯では、上顎臼歯の舌側咬頭と下顎対合臼歯の窩、および、上顎臼歯の窩と下顎対合臼歯の頬側咬頭を、それぞれ咬合接触させる必要があるため、複雑な患者の口腔内環境に合わせて各患者の義歯を作製することは非常に困難であった。
【先行技術文献】
【特許文献】
【０００７】
【特許文献１】特開２００２−１７７３０１号公報
【発明の概要】
【発明が解決しようとする課題】
【０００８】
本発明は、高度な技術や経験を必要とすることなく、各患者の口腔内環境に合わせて適切な位置で排列することが可能な人工臼歯を提供することを課題とする。
【課題を解決するための手段】
【０００９】
前記課題を解決するため、本発明の第１の人工臼歯は、歯科補綴物として口腔内に装着する床に排列する人工臼歯であって、咬合面に、前記床への排列状態で頬側面または舌側面に向けて延びる側溝を設け、この側溝の前記咬合面の外周部と交わる部分と、近心遠心方向に隣接して排列される臼歯との接触点とが、近心遠心方向に平行な平面上にあるように構成している。
【００１０】
また、この人工臼歯は、歯科補綴物として口腔内に装着する床に２以上の臼歯を近心遠心方向に隣接して排列し、これらの外周面の接触点より咬頭側に咬頭側鼓形空隙が形成される人工臼歯であって、少なくとも一方の臼歯の咬合面に、頬側面または舌側面に向けて延びる側溝を設け、この側溝の前記咬合面の外周部と交わる部分と前記接触点とが、近心遠心方向に平行な平面上にあるようにしたものである。
【００１１】
また、本発明の第２の人工臼歯は、歯科補綴物として口腔内に装着する床に２以上の臼歯を近心遠心方向に隣接して排列し、これらの外周面の接触点より咬頭側に咬頭側鼓形空隙が形成される人工臼歯であって、少なくとも一方の臼歯は、その臼歯の咬合面にある窩の底端と前記接触点とが、近心遠心方向に平行な平面上にあるように構成している。
【００１２】
これらの人工臼歯では、前記臼歯は、対合する床に互いに咬合する臼歯を有し、これら臼歯の互いに接触する咬頭の周囲に、互いに平行な平面状の擦接部をそれぞれ設けることが好ましい。
【００１３】
なお、本発明の第３の人工臼歯は、歯科補綴物として口腔内の上下顎に装着する床にそれぞれ上顎臼歯と下顎臼歯とを排列した人工臼歯であって、前記上顎臼歯と下顎臼歯の互いに接触する咬頭の周囲に、互いに平行な平面状の擦接部をそれぞれ設けた構成としている。
【００１４】
この場合、前記上顎臼歯および下顎臼歯の各咬頭において、遠心頬側の擦接部はそれぞれ平行であり、近心頬側の擦接部はそれぞれ平行であり、遠心舌側の擦接部はそれぞれ平行であり、近心舌側の擦接部はそれぞれ平行であることが好ましい。
かつ、前記上顎臼歯の咬頭の近心舌側の擦接部と前記下顎臼歯の咬頭の遠心頬側の擦接部とは平行であり、前記上顎臼歯の咬頭の遠心頬側の擦接部と前記下顎臼歯の咬頭の近心舌側の擦接部とは平行であり、前記上顎臼歯の咬頭の遠心舌側の擦接部と前記下顎臼歯の咬頭の近心頬側の擦接部とは平行であり、前記上顎臼歯の咬頭の近心頬側の擦接部と前記下顎臼歯の咬頭の遠心舌側の擦接部とは平行である、ことが好ましい。
【００１５】
そして、各人工臼歯では、隣接する臼歯の咬頭頂を一致するように設けることが好ましい。
【発明の効果】
【００１６】
本発明の人工臼歯では、側溝の咬合面の外周部と交わる部分または咬合面にある窩の底端と、隣接して排列される臼歯との接点部とが、近心遠心方向に平行な平面上に位置するように配置するだけで、高度な技術や経験を積まなくても、各臼歯を近心遠心方向に揃えて排列することができる。また、互いに接触する臼歯には、互いに平行な平面状をなす擦接部を設けているため、これらを面接触するように配置するだけで、高度な技術や経験を積まなくても、上下の臼歯を調整して所定位置に排列できる。そのため、患者の口腔内は個人差が大きく、無歯顎の臨床においても、口腔内の広さや顎堤の高さや角度などさまざまであるが、そういった臨床においても、容易に短時間で人工臼歯を排列でき、口腔内の状況を再現できる。しかも、補綴物を装着後の口腔内を美しく見せることができる。
【００１７】
また、残存歯がある場合などは、定められた位置に人工臼歯を排列することは困難であったが、容易に上下顎の嵌合の位置を調整できる。即ち、大臼歯の位置を変更することや、残存小臼歯を活かすために、幅径に合わせて臼歯４歯のうち、大臼歯を抜いて排列したり、第１小臼歯を抜いて排列することも可能となり、多くの排列バリエーションを持つことができる。さらに、平行な擦接部により、咀嚼を容易に行えるうえ、切る機能に加え、すり潰す、機能も付加することができる。
【図面の簡単な説明】
【００１８】
【図１】上顎および下顎に配設する人工臼歯の基本構成を示す平面図である。
【図２】（Ａ）は上顎大臼歯、（Ｂ）は上顎小臼歯の基本構成を示す平面図である。
【図３】（Ａ）は下顎大臼歯、（Ｂ）は下顎小臼歯の基本構成を示す平面図である。
【図４】本発明の上顎臼歯および下顎臼歯をそれぞれ排列して上下に並べた状態を示す頬側面図である。
【図５】人工臼歯の咬頭頂を合わせた状態を示す頬側面図である。
【図６】上顎臼歯および下顎臼歯をそれぞれ排列して上顎方向から観た咬合面の咬頭が窩と咬頭側鼓形空隙の関係を示す概念図である。
【図７】各咬頭に形成する平面状の擦接部を示す概念図である。
【図８】擦接部を形成する部位と種類を示す図表である。
【発明を実施するための形態】
【００１９】
以下、本発明の実施の形態を図面に従って説明する。
【００２０】
本発明は、義歯である歯科補綴物として人工歯を作製するための技術であり、そのなかでも特に人工臼歯の作製に用いることができる技術である。この人工臼歯は、第１大臼歯、第２大臼歯、第１小臼歯および第２小臼歯があり、そのうちの２つ以上の隣り合う組み合わせであることが好ましく、更に上下に向かい合う対合第１大臼歯、対合第２大臼歯、対合第１小臼歯および対合第２小臼歯を含めた４歯であることが好ましい。
【００２１】
なお、以下の説明では、前歯に近づく方向を近心側、逆に遠ざかる方向を遠心側という。また、口腔内である内方を舌側、口腔外である外方を頬側という。さらに、歯の咬合面側を咬頭側、歯根側を歯頚側という。さらにまた、以下の説明で参照する図１乃至図３（Ａ），（Ｂ）は、人工臼歯の基本構成を示すものであり、その外形等は希望に応じて変更される。
【００２２】
図１は、本発明の実施形態に係る人工臼歯を用いた人工歯を示す。人工臼歯は、上顎に排列する上顎第１大臼歯１、上顎第２大臼歯２、上顎第１小臼歯３および上顎第２小臼歯４と、対合する下顎に排列する下顎第１大臼歯５、下顎第２大臼歯６、下顎第１小臼歯７および下顎第２小臼歯８を備えている。上顎臼歯１〜４は下顎臼歯５〜８に対して対合し、下顎臼歯５〜８は上顎臼歯１〜４に対して対合する。そして、これらの臼歯１〜８には、互いに接触する臼歯１，５〜４，８の咬頭１３Ａ，１３Ｂ〜１６，１７Ａ，１７Ｂ〜２０に、第１擦接部９、第２擦接部１０、第３擦接部１１および第４擦接部１２がそれぞれ設けられている。各擦接部９〜１２は、それぞれ互いに平行に延びる平面状をなす。
【００２３】
具体的には、図２（Ａ）に示すように、上顎の大臼歯１，２には、頬側に一対の上顎頬側咬頭１３Ａ，１３Ｂが設けられ、舌側に一対の上顎舌側咬頭１４Ａ，１４Ｂが設けられている。また、図２（Ｂ）に示すように、上顎の小臼歯３，４には、頬側に上顎頬側咬頭１５が設けられ、舌側に上顎舌側咬頭１６が設けられている。さらに、図３（Ａ）に示すように、下顎の大臼歯５，６には、上顎大臼歯１，２と同様に、頬側に一対の下顎頬側咬頭１７Ａ，１７Ｂが設けられ、舌側に一対の下顎舌側咬頭１８Ａ，１８Ｂが設けられている。そして、図３（Ｂ）に示すように、下顎の小臼歯７，８には、頬側に下顎頬側咬頭１９が設けられ、舌側に下顎舌側咬頭２０が設けられている。これら咬頭１３Ａ，１３Ｂ〜２０は、塊状の歯質が先細に隆起した形状をなす。なお、下顎第１大臼歯５には、遠心側に更に１個の咬頭を形成する場合がある。また、各図中一点鎖線は、上下の各臼歯１〜８の稜部であり、その内部が咬合面となり、外部が歯の外周面となる。そして、この外周面の頬側を頬側面と称し、外周面の舌側を舌側面と称する。即ち、図中一点鎖線は、咬合面の外周部である。
【００２４】
上顎大臼歯１，２には、上顎頬側咬頭１３Ａ，１３Ｂと上顎舌側咬頭１４Ａ，１４Ｂによって、これらの間に近心および遠心間に向けて延びる溝２１が形成される。また、上顎小臼歯３，４には、上顎頬側咬頭１５と上顎舌側咬頭１６によって、これらの間に近心および遠心間に向けて延びる溝２２が形成される。さらに、下顎大臼歯５，６には、下顎頬側咬頭１７Ａ，１７Ｂと下顎舌側咬頭１８Ａ，１８Ｂによって、これらの間に近心および遠心間に向けて延びる溝２３が形成される。そして、下顎小臼歯７，８には、下顎頬側咬頭１９と下顎舌側咬頭２０によって、これらの間に近心および遠心間に向けて延びる溝２４が形成される。
【００２５】
そして、上顎大臼歯１，２の溝２１上の所定位置（略中心）には、排列状態で垂直方向の深さが最も深くなる窩２５が形成されている。また、上顎小臼歯３，４の溝２２上の所定位置には窩２６が形成されている。さらに、下顎大臼歯５，６の溝２３上の所定位置には窩２７が形成されている。そして、下顎小臼歯７，８の溝２４上の所定位置には窩２８が形成されている。
【００２６】
また、上顎大臼歯１，２の咬合面には、上顎頬側咬頭１３Ａ，１３Ｂによって、これらの間に頬側溝２９が形成され、上顎舌側咬頭１４Ａ，１４Ｂによって、これらの間に舌側溝３０が形成される。同様に、下顎大臼歯５，６の咬合面には、下顎頬側咬頭１７Ａ，１７Ｂによって、これらの間に頬側溝３１が形成され、下顎舌側咬頭１８Ａ，１８Ｂによって、これらの間に舌側溝３２が形成される。これら頬側溝２９，３１は、隆起して形成された塊状の一対の頬側咬頭１３Ａ，１３Ｂ，１７Ａ，１７Ｂにより頬側にできた大きな谷であり、窩２５，２７あるいは溝２１，２３から頬側面にかけて延びるものである。同様に、舌側溝３０，３２は、隆起して形成された塊状の一対の舌側咬頭１４Ａ，１４Ｂ，１８Ａ，１８Ｂにより舌側にできた大きな谷であり、窩２５，２７あるいは溝２１，２３から舌側面にかけて延びるものである。なお、これら側溝２９〜３２は、上下の小臼歯３，４，７，８には形成されない。但し、一対の小臼歯を連結した連結歯の場合、その連結部分に舌側溝や頬側溝のような溝が形成される。そのため、上顎小臼歯３，４や下顎小臼歯７，８を連結歯として作製する場合には、その舌側面および頬側面に形成される溝を、大臼歯１，２，５，６の頬側溝２９，３１および舌側溝３０，３２と同様に取り扱う。
【００２７】
このように構成した各臼歯１〜８は、咬頭側の咬合面を除く外周面が湾曲面状をなす。この外周面のうち、第２大臼歯２，６の遠心側の面を除き、かつ、頬側面および舌側面を除く面が、隣接する臼歯１〜４，５〜８との対向面となる。そして、上顎臼歯１〜４を上顎床３３に排列するとともに、下顎臼歯５〜８を下顎床３４に排列すると、隣接する臼歯１〜４，５〜８は、外周面の１点が互いに接触した状態をなす。言い換えれば、臼歯１〜８は、外周面の１点が接触点３５となるように湾曲面状に形成され、その接触点３５が接触するように排列される。これにより、図１に薄墨を付して示すように、隣接する臼歯１〜４，５〜８の間には、鼓状の隙間（空間）からなる鼓形空隙３６が形成される。なお、この鼓形空隙３６は、接触点３５より咬頭側の咬頭側鼓形空隙３６ａと、接触点３５より歯頚側の歯頚側鼓形空隙３６ｂとに区画される。
【００２８】
これらの臼歯１〜８のうち、上下の顎の大臼歯１，２，５，６は、隣り合う臼歯４，１，８，５の咬頭側鼓形空隙３６ａの深さと、頬側溝２９，３１および舌側溝３０，３２のうち１つ以上の深さがほぼ同じになるように構成されている。特に、隣り合う臼歯４，１，８，５の咬頭側鼓形空隙３６ａの深さと舌側溝３０，３２および頬側溝２９，３１の深さが全て同じであることが好ましい。図４は、本発明の臼歯１〜４，５〜８を上顎および下顎の床３７，３８にそれぞれ排列し、上下に並べて頬側面から見た図である。また、左側の上下の顎の臼歯が被蓋しないように頬側面に合わせて、上下の顎の臼歯１〜４，５〜８の咬頭頂が見えるように重ね合わせた図である。
【００２９】
この図４に示すように、本実施形態の大臼歯１，２，５，６には、咬合面に設けた頬側溝２９，３１および舌側溝３０，３２が、頬側面および舌側面にかけて延びるように設けられている。これら頬側溝２９，３１および舌側溝３０，３２は、咬合面の外周部と交わる部分、即ち、咬頭側の頂部２９ａ〜３２ａが、隣接する臼歯４，１，８，５と接触する接触点３５と近心遠心方向に対応するように設けられている。即ち、側溝２９〜３２の頂部２９ａ〜３２ａと外周面の接触点３５とが、近心遠心方向に平行な平面（図中一点鎖線）上にあるように設けられている。言い換えれば、隆起させて形成する咬頭１３Ａ，１３Ｂ，１４Ａ，１４Ｂ，１７Ａ，１７Ｂ，１８Ａ，１８Ｂの根元部分と、隣接して排列する臼歯４，１，８，５との接触点３５とが、近心遠心方向に平行な平面上にあるように、大臼歯１，２，５，６の外周面が湾曲面状に形成されている。これにより、隣り合う臼歯４，１，８，５の咬頭側鼓形空隙３６ａの深さと、頬側溝２９，３１および舌側溝３０，３２の深さが全てほぼ同じとなるようにしている。
【００３０】
また、本実施形態の大臼歯１，２，５，６は、咬頭側鼓形空隙３６ａの深さと、窩２５，２７の底端までの深さとがほぼ同じになるように形成されている。但し、咬頭側鼓形空隙３６ａの深さと窩２５，２７の深さは、厳密に同一とする必要はないが、ほぼ同じ大きさとなることが好ましい。しかも、下顎を前後に１咬頭移動（運動）させた場合でも、各咬頭１３Ａ，１３Ｂ〜１６，１７Ａ，１７Ｂ〜２０が同様の関係を維持することが好ましい。これにより、咬頭１３Ａ，１３Ｂ〜１６，１７Ａ，１７Ｂ〜２０を１つずらして嵌合させた場合でも、中心咬合位と同様の動きができるようにすることが好ましい。
【００３１】
このように構成するために、本実施形態では、大臼歯１，２，５，６の窩２５，２７の底端と外周面の接触点３５とが、近心遠心方向に対応するように設けられている。即ち、大臼歯１，２，５，６の窩２５，２７の底端と外周面の接触点３５とが、近心遠心方向に平行な平面上にあるように設けられている。また、図５に示すように、各咬頭１３Ａ，１３Ｂ〜２０と、窩２５〜２８の近心遠心方向の寸法関係を一定とし、上顎臼歯１〜４と、下顎臼歯５〜８が正しく嵌合できるように構成している。さらに、隣り合う臼歯１〜４，５〜８の咬頭側鼓形空隙３６ａの形状と舌側溝３０，３２および頬側溝２９，３１がほぼ同じ形状となるように構成している。言い換えれば、隣接する咬頭１３Ａ，１３Ｂ〜１６の間に形成される空間形状と、対合する咬頭１７Ａ，１７Ｂ〜２０の形状とがほぼ同じ形状となるように構成している。なお、図５では、近心側が内側に曲がっているため、ほぼ同じ形状ではないが、実際の形状はほぼ同じである。
【００３２】
図６は、本実施形態の上顎臼歯１〜４と下顎臼歯５〜８をそれぞれ床３７，３８に排列し、上顎方向から見た咬合面の咬頭１３Ａ，１３Ｂ〜２０と、窩２５〜２８と、咬頭側鼓形空隙３６ａの関係を示すものである。上側が下顎を上顎方向から見た図であり、下側が上顎を下顎と同じように上顎方向から見た図である。但し、上顎は上顎方向から見た場合、咬合の状態がわからないため、咬合の状態を示すために、上方から見た咬合面状態を示している。
【００３３】
この図６に示すように、下顎第２大臼歯６の下顎頬側咬頭１７Ｂは、上顎第２大臼歯２の窩２５に嵌合する。下顎第２大臼歯６の下顎頬側咬頭１７Ａは、上顎第２大臼歯２と上顎第１大臼歯１の間、即ち、咬頭側鼓形空隙３６ａに嵌合する。下顎第１大臼歯５の下顎頬側咬頭１７Ｂは、上顎第１大臼歯１の窩２５に嵌合する。下顎第１大臼歯５の下顎頬側咬頭１７Ａは、上顎第１大臼歯１と上顎第２小臼歯４の間の咬頭側鼓形空隙３６ａに嵌合する。下顎第２小臼歯８の下顎頬側咬頭１９は、上顎第２小臼歯４と上顎第１小臼歯３の間の咬頭側鼓形空隙３６ａに嵌合する。下顎第１小臼歯７の下顎頬側咬頭１９は、上顎第１小臼歯３と上顎犬歯３７の間の咬頭側鼓形空隙３６ａに嵌合する。また、上顎第２大臼歯２の上顎舌側咬頭１４Ａは、下顎第２大臼歯６の窩２７に嵌合する。上顎第１大臼歯１の上顎舌側咬頭１４Ｂは、下顎第２大臼歯６と下顎第１大臼歯５の間の咬頭側鼓形空隙３６ａに嵌合する。上顎第１大臼歯１の上顎舌側咬頭１４Ａは、下顎第１大臼歯５の窩２７に嵌合する。上顎第２小臼歯４の上顎舌側咬頭１６は、下顎第１大臼歯５と下顎第２小臼歯８の間の咬頭側鼓形空隙３６ａに嵌合する。上顎第１小臼歯３の上顎舌側咬頭１６は、下顎第２小臼歯８と下顎第１小臼歯７の間の咬頭側鼓形空隙３６ａに嵌合する。なお、上顎第２大臼歯２の上顎舌側咬頭１４Ｂは、咬頭の数の関係で嵌合しない。
【００３４】
但し、これら咬頭側鼓形空隙３６ａと咬合する咬頭頂は、近傍の窩に咬合する構成としてもよい。臨床において隣接歯が常に人工歯であるとは限らないため、隣接歯と共同で作製される咬頭側鼓形空隙３６ａと咬合するよりも同一対合歯の窩や小窩で咬合することが好ましい。同一対合歯とは上顎第１大臼歯１であれば下顎第１大臼歯５であり、上顎第２大臼歯２であれば下顎第２大臼歯６である。
【００３５】
このように各臼歯１〜８の咬頭１３Ａ，１３Ｂ〜２０と、窩２５〜２８および咬頭側鼓形空隙３６ａの関係を一定に形成することにより、図５に示すように、上顎の咬頭頂の位置関係と下顎の咬頭頂の位置関係が一致する。また、各咬頭１３Ａ，１３Ｂ〜１６，１７Ａ，１７Ｂ，２０の対合臼歯１〜４，５〜８に接する各傾斜角度が同一であり、その咬頭同士の関係が排列された臼歯１〜４，５〜８において上下の顎で一致する。この構成は、排列時において容易に排列状態を確認することができるため好適である。
【００３６】
また、このように一定の関係をもって排列する上下の臼歯１〜４，５〜８は、咬頭１３Ａ，１３Ｂ〜１６，１７Ａ，１７Ｂ，２０と、窩２５〜２８および咬頭側鼓形空隙３６ａが嵌合した状態で、下顎の側方運動、前方運動および後方運動が行われる。そして、これらの運動にて擦れ合う部分に擦接部９〜１２が設けられている。これら擦接部９〜１２は、互いに接触する咬頭１３Ａ，１３Ｂ〜１６，１７Ａ，１７Ｂ〜２０において、近心、遠心、舌側、頬側の１以上の斜面に、互いに平行に延びる平面状に設けられている。但し、擦り合わされている状況であっても、左顎と右顎でほぼ平行な状態を保たない。そのため、４つ以上の咬頭にほぼ平行な平面状の擦接部９〜１２を形成することが好ましい。更には６つの咬頭にほぼ平行な平面状の擦接部９〜１２を形成することが好ましい。
【００３７】
即ち、顎の前方運動では、上顎舌側咬頭１４Ａ，１４Ｂ，１６の遠心側の斜面と、下顎舌側咬頭１８Ａ，１８Ｂ，２０の近心側の斜面が接触して擦れ合う。下顎の側方運動では、上顎頬側咬頭１３Ａ，１３Ｂ，１５の舌側の斜面と、下顎頬側咬頭１７Ａ，１７Ｂ，１９の頬側の斜面が接触して擦れ合う。また、側方運動では、上顎舌側咬頭１４Ａ，１４Ｂ，１６の舌側の斜面と、下顎舌側咬頭１８Ａ，１８Ｂ，２０の頬側の斜面が接触して擦れ合う。さらに、側方運動の平衡側では、上顎舌側咬頭１４Ａ，１４Ｂ，１６の頬側の斜面と、下顎頬側咬頭１７Ａ，１７Ｂ，１９の舌側の斜面が接触して擦れ合う。そして、側方運動では、上顎舌側咬頭１４Ａ，１４Ｂ，１６の舌側の斜面と、下顎舌側咬頭１８Ａ，１８Ｂ，２０の頬側の斜面が接触して擦れ合う。平衡側では、上顎舌側咬頭１４Ａ，１４Ｂ，１６の頬側の斜面と、下顎舌側咬頭１８Ａ，１８Ｂ，２０の舌側の斜面が接触して擦れ合う。
【００３８】
そこで、本実施形態では、図７および図８に示すように、上顎臼歯１〜４の各咬頭１３Ａ，１３Ｂ〜１６において、遠心頬側、近心頬側、遠心舌側および近心舌側に、それぞれ第１から第４の擦接部９〜１２が設けられている。同様に、下顎臼歯５〜８の各咬頭１７Ａ，１７Ｂ〜２０において、遠心頬側、近心頬側、遠心舌側および近心舌側に、それぞれ第１から第４の擦接部９〜１２が設けられている。そして、排列状態では、各第１擦接部９は全て平行となり、各第２擦接部１０は全て平行となり、各第３擦接部１１は全て平行となり、各第４擦接部１２は全て平行となるように構成されている。即ち、各咬頭１３Ａ，１３Ｂ〜２０は４つ面を有し、これらの面は、近心頬側方向、近心舌側方向、遠心頬側方向、遠心舌側方向に位置している。そして、各咬頭１３Ａ，１３Ｂ〜２０の共通する方向の面がほぼ平行な面を形成する。例えば、人工臼歯に有する各咬頭の各近心頬側方向の面がほぼ平行な面を形成する。他の咬頭の他の面においても同様に共通の平行な面を形成する。また、それに対応して対合歯も共通のほぼ平行な面を形成する。
【００３９】
具体的には、上顎臼歯１〜４の頬側咬頭１３Ａ，１３Ｂ，１５は、頬側の斜面が他の咬頭と擦れ合わないため、何ら擦接部は設けられていない。また、上顎臼歯１〜４の頬側咬頭１３Ａ，１３Ｂ，１５は、舌側の斜面が下顎臼歯５〜８の頬側咬頭１７Ａ，１７Ｂ，１９と擦れ合う。そのため、上顎頬側咬頭１３Ａ，１３Ｂ，１５の近心舌側の斜面には第１擦接部９が設けられ、対応する下顎頬側咬頭１７Ａ，１７Ｂ，１９の遠心頬側の斜面にも第１擦接部９が設けられている。また、上顎頬側咬頭１３Ａ，１３Ｂ，１５の遠心舌側の斜面には第３擦接部１１が設けられ、対応する下顎頬側咬頭１７Ａ，１７Ｂ，１９の近心頬側の斜面にも第３擦接部１１が設けられている。
【００４０】
上顎臼歯１〜４の舌側咬頭１４Ａ，１４Ｂ，１６は、頬側の斜面が下顎臼歯５〜８の頬側咬頭１７Ａ，１７Ｂ，１９と擦れ合い、舌側の斜面が下顎臼歯５〜８の舌側咬頭１８Ａ，１８Ｂ，２０と擦れ合う。そのため、上顎舌側咬頭１４Ａ，１４Ｂ，１６の遠心頬側の斜面には第２擦接部１０が設けられ、対応する下顎頬側咬頭１７Ａ，１７Ｂ，１９の近心舌側の斜面にも第２擦接部１０が設けられている。また、上顎舌側咬頭１４Ａ，１４Ｂ，１６の近心頬側の斜面には第４擦接部１２が設けられ、対応する下顎頬側咬頭１７Ａ，１７Ｂ，１９の遠心舌側の斜面にも第４擦接部１２が設けられている。さらに、上顎舌側咬頭１４Ａ，１４Ｂ，１６の近心舌側の斜面には第１擦接部９が設けられ、対応する下顎舌側咬頭１８Ａ，１８Ｂ，２０の遠心頬側の斜面にも第１擦接部９が設けられている。そして、上顎舌側咬頭１４Ａ，１４Ｂ，１６の遠心舌側の斜面には第３擦接部１１が設けられ、対応する下顎舌側咬頭１８Ａ，１８Ｂ，２０の近心頬側の斜面にも第３擦接部１１が設けられている。
【００４１】
但し、上顎臼歯１〜４のうち上顎第２大臼歯２は、上顎頬側咬頭１３Ｂおよび上顎舌側咬頭１４Ｂの遠心側の斜面が他の咬頭と擦れ合わないため、何ら擦接部は設けられていない。また、下顎臼歯５〜８は、舌側咬頭１８Ａ，１８Ｂ，２０の舌側の斜面が他の咬頭と擦れ合わないため、何ら擦接部は設けられていない。さらに、下顎臼歯５〜８のうち下顎第１小臼歯７は、下顎舌側咬頭２０の近心側の斜面が他の咬頭と擦れ合わないため、何ら擦接部は設けられていない。これらの擦接部を形成しない斜面は、舌触りが良いように湾曲面状をなす隆起部とすることが好ましい。本実施形態では、下顎第１小臼歯７の下顎頬側咬頭１９に擦れ合う上顎犬歯３７に、対応する第３擦接部１１が設けられている。また、本実施形態の上顎犬歯３７には、近心側に第１擦接部９が更に設けられ、擦れ合う下顎犬歯３８にも対応する第１擦接部９が設けられている。
【００４２】
このように作製した臼歯１〜８を床３７，３８に排列する場合には、例えば上顎犬歯３７の遠心側に上顎第１小臼歯３を排列する。この際、上顎犬歯３７が人工歯であっても残存歯であっても構わない。なお、残存歯である場合には、既存の歯茎の近心遠心方向に人工の歯茎である上顎床３３が配設される。そして、上顎第１小臼歯３は、咬頭１５，１６の頂部が上顎犬歯３７の頂部と近心遠心方向に一致（歯頚咬頭方向の高さが一致）するように、隣接する上顎犬歯３７に対して接触点３５を接触させる。
【００４３】
ついで、上顎床３３に上顎第２小臼歯４を排列する。この際、上顎第２小臼歯４は、咬頭１５，１６の頂部が上顎第１小臼歯３の頂部と近心遠心方向に一致するように、隣接する上顎第１小臼歯３に対して接触点３５を接触させる。また、その接触点３５が、隣接して排列した上顎第１小臼歯３と上顎犬歯３７の接触点３５と近心遠心方向に一致するように排列する。
【００４４】
ついで、上顎床３３に上顎第１大臼歯１を排列する。この際、上顎第１大臼歯１は、頬側溝２９の頂部２９ａ、舌側溝３０の頂部３０ａおよび窩２５のいずれかと、近心側の接触点３５と、隣接して排列した上顎小臼歯３，４の接触点３５とが近心遠心方向に一致するように排列する。
【００４５】
ついで、上顎床３３に上顎第２大臼歯２を排列する。この際、上顎第２大臼歯２は、頬側溝２９の頂部２９ａ、舌側溝３０の頂部３０ａおよび窩２５のいずれかと、近心側の接触点３５と、隣接して排列した上顎第１大臼歯１の頬側溝２９の頂部２９ａ、舌側溝３０の頂部３０ａおよび窩２５のいずれかが近心遠心方向に一致するように排列する。
【００４６】
このように上顎大臼歯１，２は、頬側溝２９の頂部２９ａ、舌側溝３０の頂部３０ａおよび窩２５の底端と、隣接する臼歯１，４の接触点３５とが近心遠心方向に平行な平面上にあるように作製されているため、近心遠心方向に隣接して排列する際の作業性が極めて良好である。そのため、高度な技術や経験を必要とすることなく、各患者の口腔内環境に合わせて適切な位置で排列することができる。また、このようにして正常に上顎臼歯１〜４を排列すると、各咬頭１３Ａ，１３Ｂ〜１６の頂部が近心遠心方向に一致し、直線的に位置する。勿論、下顎臼歯５〜８を先に排列した場合には、この下顎臼歯５〜８も同様の構成としているため、同様の作用および効果を得ることができる。
【００４７】
次に、下顎床３４に下顎第１小臼歯７を排列する。この際、上顎第１小臼歯３と同様に、咬頭１９，２０の頂部が下顎犬歯３８の頂部と近心遠心方向に一致するように、隣接する下顎犬歯３８に対して接触点３５を接触させる。しかも、既に排列した上顎臼歯１〜４を咬合させ、下顎第１小臼歯７の下顎頬側咬頭１９の第３擦接部１１および第１擦接部９が、上顎犬歯３７の第３擦接部１１および上顎第１小臼歯３の第１擦接部９と、面接触するように調整する。なお、この調整作業は、上顎第１小臼歯３の排列調整も含む。
【００４８】
ついで、下顎床３４に対して下顎第２小臼歯８を排列する。この際、咬頭１９，２０の頂部が下顎第１小臼歯７の頂部と近心遠心方向に一致するように、隣接する下顎第１小臼歯７に対して接触点３５を接触させる。また、その接触点３５が、隣接して排列した下顎第１小臼歯７と上顎犬歯３７の接触点３５と近心遠心方向に一致するように排列する。さらに、既に排列した上顎臼歯１〜４を咬合させ、下顎第２小臼歯８の下顎頬側咬頭１９の第３擦接部１１および第１擦接部９が、上顎第１小臼歯３の第３擦接部１１および上顎第２小臼歯４の第１擦接部９と、面接触するように調整する。
【００４９】
ついで、下顎床３４に対して下顎第１大臼歯５を排列する。この際、下顎第１大臼歯５は、頬側溝３１の頂部３１ａ、舌側溝３２の頂部３２ａおよび窩２７のいずれかと、近心側の接触点３５と、隣接して排列した下顎小臼歯７，８の接触点３５とが近心遠心方向に一致するように排列する。また、既に排列した上顎臼歯１〜４を咬合させ、下顎第１大臼歯５の下顎頬側咬頭１７Ａの第３擦接部１１が、上顎第２小臼歯４の第３擦接部１１と、下顎第１大臼歯５の下顎頬側咬頭１７Ａの第１擦接部９が、上顎第１大臼歯１の上顎頬側咬頭１３Ａの第１擦接部９と、下顎第１大臼歯５の下顎頬側咬頭１７Ｂの第３擦接部１１が、上顎第１大臼歯１の上顎頬側咬頭１３Ａの第３擦接部１１と、下顎第１大臼歯５の下顎頬側咬頭１７Ｂの第１擦接部９が、上顎第１大臼歯１の上顎頬側咬頭１３Ｂの第１擦接部９と、面接触するように調整する。
【００５０】
最後に、下顎床３４に下顎第２大臼歯６を排列する。この際、下顎第２大臼歯６は、頬側溝３１の頂部３１ａ、舌側溝３２の頂部３２ａおよび窩２７のいずれかと、近心側の接触点３５と、隣接して排列した下顎第１大臼歯５の頬側溝３１の頂部３１ａ、舌側溝３２の頂部３２ａおよび窩２７のいずれかが近心遠心方向に一致するように排列する。また、既に排列した上顎臼歯１〜４を咬合させ、下顎第２大臼歯６の下顎頬側咬頭１７Ａの第３擦接部１１が、上顎第１大臼歯１の下顎頬側咬頭１７Ｂの第３擦接部１１と、下顎第２大臼歯６の下顎頬側咬頭１７Ａの第１擦接部９が、上顎第２大臼歯２の上顎頬側咬頭１３Ａの第１擦接部９と、下顎第２大臼歯６の下顎頬側咬頭１７Ｂの第３擦接部１１が、上顎第２大臼歯２の上顎頬側咬頭１３Ａの第３擦接部１１と、下顎第２大臼歯６の下顎頬側咬頭１７Ｂの第１擦接部９が、上顎第２大臼歯２の上顎頬側咬頭１３Ｂの第１擦接部９と、面接触するように調整する。
【００５１】
このように、対合する下顎臼歯５〜８も、上顎臼歯１〜４と同様に、高度な技術や経験を必要とすることなく、各患者の口腔内環境に合わせて適切な位置で排列することができる。しかも、本実施形態では、上顎臼歯１〜４と下顎臼歯５〜８に、互いに平行に延びる擦接部９〜１２を設けているため、上下の位置関係も容易に調整して排列することができる。勿論、下顎臼歯５〜８を先に排列し、上顎臼歯１〜４を後から排列する場合でも、同様の作用および効果を得ることができる。
【００５２】
なお、臼歯１〜８の排列方法は種々の変更が可能である。例えば、上顎臼歯１〜４を排列した後に、下顎臼歯５〜８を排列するのではなく、上顎および下顎の一方の第１小臼歯３，７を排列した後、他方の第１小臼歯７，３を調整しながら排列する。そして、第２小臼歯４，８、第１大臼歯１，５および第２大臼歯２，７の順番で、順次調整しながら近心遠心方向に排列してもよい。このようにしても、前記と同様に、近心遠心方向に容易に排列できるとともに、上下の臼歯１〜４，５〜８を容易に正規の位置に調整することができる。
【００５３】
このように、本実施形態の人工臼歯１〜８は、排列時に患者の口腔内状況に合わせて人工臼歯を作製するにあたり、高度な技術や経験を積まなくても、上下の臼歯１〜４，５〜８を所定位置に排列することができる。即ち、患者の口腔内は個人差が大きく、無歯顎の臨床においても、口腔内の広さや顎堤の高さや角度などさまざまであるが、そういった臨床においても、容易に短時間で人工臼歯を排列でき、口腔内の状況を再現できる。また、残存歯がある場合などは、定められた位置に人工臼歯１〜８を排列することは困難であったが、容易に上下顎の嵌合の位置を調整できる。即ち、大臼歯１，２，５，６の位置を変更することや、残存小臼歯を活かすために、幅径に合わせて臼歯４歯のうち、大臼歯１，２，５，６を抜いて排列したり、第１小臼歯３，７を抜いて排列することも可能となり、多くの排列バリエーションを持つことができる。さらに、各臼歯１〜８の咬頭１３Ａ，１３Ｂ，１４Ａ，１４Ｂ，１７Ａ，１７Ｂ，１８Ａ，１８Ｂ、窩２５，２７および鼓形空隙３６ａの深さや位置の関係、そして、平行な擦接部９〜１２により、咀嚼を容易に行えるうえ、切る機能に加え、すり潰す、機能も付加することができる。しかも、補綴物を装着後の口腔内を美しく見せることができる。
【００５４】
なお、本発明の人工臼歯は、前記実施形態の構成に限定されるものではなく、種々の変更が可能である。
【００５５】
例えば、前記実施形態では、頬側溝２９，３１と舌側溝３０，３２の両方の頂部が接触点３５と近心遠心方向に平行な平面上にあるように構成したが、いずれか一方だけが近心遠心方向に平行な平面上にあるように構成してもよい。また、側溝２９〜３２の頂部と窩２５，２７の底端の両方が接触点３５と近心遠心方向に平行な平面上にあるように構成したが、いずれか一方だけが近心遠心方向に平行な平面上にあるようにしてもよい。即ち、頬側溝２９，３１の頂部、舌側溝３０，３２の頂部および窩２５，２７の底端のうち、いずれか１つと接触点３５とが近心遠心方向に平行な平面上にあるように構成してもよい。
【符号の説明】
【００５６】
１…上顎第１大臼歯        ２…上顎第２大臼歯
３…上顎第１小臼歯        ４…上顎第２小臼歯
５…下顎第１大臼歯        ６…下顎第２大臼歯
７…下顎第１小臼歯        ８…下顎第２小臼歯
９…第１擦接部            １０…第２擦接部
１１…第３擦接部          １２…第４擦接部
１３Ａ，１３Ｂ…上顎頬側咬頭              １４Ａ，１４Ｂ…上顎舌側咬頭
１５…上顎頬側咬頭        １６…上顎舌側咬頭
１７Ａ，１７Ｂ…下顎頬側咬頭              １８Ａ，１８Ｂ…下顎舌側咬頭
１９…下顎頬側咬頭        ２０…下顎舌側咬頭
２１〜２４…溝            ２５〜２８…窩
２９…頬側溝              ２９ａ…頂部（交差部分）
３０…舌側溝              ３０ａ…頂部（交差部分）
３１…頬側溝              ３１ａ…頂部（交差部分）
３２…舌側溝              ３２ａ…頂部（交差部分）
３３…上顎床              ３４…下顎床
３５…接触点              ３６…鼓形空隙
３６ａ…咬頭側鼓形空隙    ３６ｂ…歯頚側鼓形空隙
３７…上顎犬歯            ３８…下顎犬歯
【図２】
2010051788.tif 000003
【図３】
2010051788.tif 000004
【図４】
2010051788.tif 000005
【図５】
2010051788.tif 000006
【図６】
2010051788.tif 000007
【図７】
2010051788.tif 000008
【図８】
2010051788.tif 000009
【図１】
2010051788.tif 000010
【手続補正書】
【提出日】平成22年1月21日(2010.1.21)
【手続補正１】
【補正対象書類名】明細書
【補正対象項目名】００３７
【補正方法】変更
【補正の内容】
【００３７】
即ち、顎の前方運動では、上顎舌側咬頭１４Ａ，１４Ｂ，１６の遠心側の斜面と、下顎舌側咬頭１８Ａ，１８Ｂ，２０の近心側の斜面が接触して擦れ合う。下顎の側方運動の平衡側では、上顎頬側咬頭１３Ａ，１３Ｂ，１５の舌側の斜面と、下顎頬側咬頭１７Ａ，１７Ｂ，１９の頬側の斜面が接触して擦れ合う。また、側方運動の平衡側では、上顎舌側咬頭１４Ａ，１４Ｂ，１６の舌側の斜面と、下顎舌側咬頭１８Ａ，１８Ｂ，２０の頬側の斜面が接触して擦れ合う。さらに、側方運動の作業側では、上顎舌側咬頭１４Ａ，１４Ｂ，１６の頬側の斜面と、下顎頬側咬頭１７Ａ，１７Ｂ，１９の舌側の斜面が接触して擦れ合う。